Podtech/llm-jp-corpus-v4-ja_patent huggingface dataset:
【手続補正書】
【提出日】平成25年7月11日(2013.7.11)
【手続補正１】
【補正対象書類名】特許請求の範囲
【補正対象項目名】全文
【補正方法】変更
【補正の内容】
【特許請求の範囲】
【請求項１】
画像からハイライト色を取得する取得手段と、
前記取得手段によって取得されたハイライト色と、予め保持しているハイライト色とを比較する比較手段と、
前記比較手段による比較結果に基づき、前記取得手段によって取得されたハイライト色を補正する補正手段と
を有すること特徴とする画像処理装置。
【請求項２】
前記補正手段によって補正されたハイライト色に基づき、前記画像のカラーバランス補正を行うカラーバランス補正手段を更に有することを特徴とする請求項１に記載の画像処理装置。
【請求項３】
前記補正手段は、前記取得手段によって取得されたハイライト色を、色空間における原点に近付けるように補正することを特徴とする請求項１または２に記載の画像処理装置。
【請求項４】
前記色空間は、色差成分の空間であることを特徴とする請求項３に記載の画像処理装置。
【請求項５】
前記取得手段で取得されるハイライト色は、前記画像の輝度成分のヒストグラムを用いて取得されることを特徴とする請求項１乃至４のいずれか一項に記載の画像処理装置。
【請求項６】
前記予め保持しているハイライト色は、ハイライト色の軌跡上の色であることを特徴とする請求項１乃至５のいずれか一項に記載の画像処理装置。
【請求項７】
前記予め保持しているハイライト色は、ハイライト色の黒体軌跡上の色であることを特徴とする請求項１乃至５のいずれか一項に記載の画像処理装置。
【請求項８】
前記比較手段による比較は、色空間における、前記取得手段によって取得されたハイライト色と前記予め保持しているハイライト色との距離を用いて行うことを特徴とする請求項１乃至７のいずれか一項に記載の画像処理装置。
【請求項９】
前記距離が大きくなるほど、前記取得手段によって取得されたハイライト色を補正する量を大きくすることを特徴とする請求項８に記載の画像処理装置。
【請求項１０】
画像からハイライト色を取得する取得工程と、
前記取得工程によって取得されたハイライト色と、予め保持しているハイライト色とを比較する比較工程と、
前記比較工程による比較結果に基づき、前記取得工程によって取得されたハイライト色を補正する補正工程と
を有すること特徴とする画像処理方法。
【請求項１１】
コンピュータを請求項１乃至９のいずれか一項に記載の画像処理装置として機能させるためのプログラム。
【手続補正２】
【補正対象書類名】明細書
【補正対象項目名】００１０
【補正方法】変更
【補正の内容】
【００１０】
本発明の画像処理装置は、上記課題を解決するために、以下の構成を有する。すなわち、画像からハイライト色を取得する取得手段と、前記取得手段によって取得されたハイライト色と、予め保持しているハイライト色とを比較する比較手段と、前記比較手段による比較結果に基づき、前記取得手段によって取得されたハイライト色を補正する補正手段とを有する。
【手続補正書】
【提出日】平成25年7月11日(2013.7.11)
【手続補正１】
【補正対象書類名】特許請求の範囲
【補正対象項目名】全文
【補正方法】変更
【補正の内容】
【特許請求の範囲】
【請求項１】
画像の撮影時の光環境を推定する推定手段と、
前記推定手段によって推定された光環境に基づき第１のハイライト色を取得する第１のハイライト色取得手段と、
前記画像から第２のハイライト色を取得する第２のハイライト色取得手段と、
前記第１のハイライト色と前記第２のハイライト色を用いて、第３のハイライト色を算出するハイライト色算出手段と、
前記第３のハイライト色を用いて前記画像のカラーバランスを補正する補正手段と
を有することを特徴とする画像処理装置。
【請求項２】
前記第１のハイライト色取得手段は、前記推定された光環境の色温度に対応する第１のハイライト色を取得することを特徴とする請求項１に記載の画像処理装置。
【請求項３】
前記第１のハイライト色取得手段における撮影時の光環境の推定は、前記画像のグレーの色値および前記画像に含まれるオブジェクトの色を用いて行うことを特徴とする請求項１に記載の画像処理装置。
【請求項４】
前記第２のハイライト色算出取得は、前記画像の輝度成分のヒストグラムに基づき第２のハイライト色を取得することを特徴とする請求項１乃至３のいずれか一項に記載の画像処理装置。
【請求項５】
前記ハイライト色算出手段は、重み係数を用いて前記第１のハイライト色の値と前記第２のハイライト色の値とを内分することにより、前記第３のハイライト色の値を算出することを特徴とする請求項１乃至４のいずれか一項に記載の画像処理装置。
【請求項６】
前記ハイライト色算出手段は、前記画像に含まれるオブジェクトの色を用いて重み係数を算出し、該重み係数を用いて前記第１のハイライト色の値と前記第２のハイライト色の値とを重み付け演算することにより、前記第３のハイライト色の値を算出することを特徴とする請求項１乃至４のいずれか一項に記載の画像処理装置。
【請求項７】
前記ハイライト色算出手段は、
複数の重み係数を用いて前記第１のハイライト色の値と前記第２のハイライト色の値とを重み付け演算を行い、複数のハイライト色候補を算出するハイライト色候補算出手段と、
前記複数のハイライト色候補のそれぞれを用いて、前記画像に含まれるオブジェクトに対してカラーバランス補正を行う候補補正手段と、
前記候補補正手段によるカラーバランス補正後の複数のオブジェクトの色と、予め保持されているオブジェクトの色とに基づき、前記第３のハイライト色を算出することを特徴とする請求項１乃至４のいずれか一項に記載の画像処理装置。
【請求項８】
前記補正手段におけるカラーバランス補正は、ＣＩＥＣＡＭ０２を用いることを特徴とする請求項１乃至７のいずれか一項に記載の画像処理装置。
【請求項９】
画像の撮影時の光環境を推定する推定手段と、
前記推定手段によって推定された光環境と、前記画像の明るさ成分から算出したヒストグラムとを用いて、ハイライト色を取得する取得手段と、
前記取得手段によって算出されたハイライト色を用いて、前記画像のカラーバランスを補正する補正手段と
を有すること特徴とする画像処理装置。
【請求項１０】
画像の撮影時の光環境を推定する推定工程と、
前記推定工程によって推定された光環境に基づき第１のハイライト色を取得する第１のハイライト色取得工程と、
前記画像から第２のハイライト色を取得する第２のハイライト色取得工程と、
前記第１のハイライト色と前記第２のハイライト色を用いて、第３のハイライト色を算出するハイライト色算出工程と、
前記第３のハイライト色を用いて前記画像のカラーバランスを補正する補正工程と
を有することを特徴とする画像処理方法。
【請求項１１】
画像の撮影時の光環境を推定する推定工程と、
前記推定工程によって推定された光環境と、前記画像の明るさ成分から算出したヒストグラムとを用いて、ハイライト色を取得する取得工程と、
前記取得工程によって算出されたハイライト色を用いて、前記画像のカラーバランスを補正する補正工程と
を有すること特徴とする画像処理方法。
【請求項１２】
コンピュータを請求項１乃至９のいずれか一項に記載された画像処理装置として機能させるためのプログラム。
【手続補正２】
【補正対象書類名】明細書
【補正対象項目名】００１２
【補正方法】変更
【補正の内容】
【００１２】
本発明の画像処理装置は、上記課題を解決するために、以下の構成を有する。すなわち、画像の撮影時の光環境を推定する推定手段と、前記推定手段によって推定された光環境に基づき第１のハイライト色を取得する第１のハイライト色取得手段と、前記画像から第２のハイライト色を取得する第２のハイライト色取得手段と、前記第１のハイライト色と前記第２のハイライト色を用いて、第３のハイライト色を算出するハイライト色算出手段と、前記第３のハイライト色を用いて前記画像のカラーバランスを補正する補正手段とを有する。
【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
画像データからハイライト色を取得する第一の取得手段と、
前記画像データに含まれる所定のオブジェクトの色を取得する第二の取得手段と、
色空間における、前記ハイライト色と前記所定のオブジェクトの色の相対位置に基づき、前記ハイライト色を補正する補正手段と
を有することを特徴とする画像処理装置。
【請求項２】
前記補正手段によって補正されたハイライト色に基づき、前記画像データの撮影時の光環境を推定する推定手段を更に有することを特徴とする請求項１に記載の画像処理装置。
【請求項３】
前記補正手段は、前記色空間における、前記ハイライト色と前記所定のオブジェクトの色の相対位置が、基準ハイライト色と基準オブジェクト色の相対位置に近づくように、前記ハイライト色を補正することを特徴とする請求項１または２に記載の画像処理装置。
【請求項４】
前記基準ハイライト色と前記基準オブジェクト色は、予め定められた光源下におけるハイライト色とオブジェクトの色であることを特徴とする請求項３に記載の画像処理装置。
【請求項５】
前記オブジェクトの色は、前記画像データに含まれる顔の肌色であることを特徴とする請求項１乃至４のいずれか一項に記載の画像処理装置。
【請求項６】
画像データに含まれるオブジェクトの色を算出する算出手段と、
前記画像データのハイライト色を検出する検出手段と、
色空間における前記オブジェクトの色と前記ハイライト色の相対位置関係、および前記オブジェクトの色および前記ハイライト色それぞれに対する基準値との差異に基づいて、前記算出手段により算出された前記オブジェクトの色の値に対する信頼度、および前記検出手段により検出された前記ハイライト色の値に対する信頼度をそれぞれ算出する信頼度算出手段と、
前記オブジェクトの色の値に対する信頼度、および前記ハイライト色の値に対する信頼度を用いて、前記オブジェクトの色および前記ハイライト色に対する補正量を制御することで、前記オブジェクトの色および前記ハイライト色へのカラーバランス補正を行うカラーバランス補正手段と
を有することを特徴とする画像処理装置。
【請求項７】
前記カラーバランス補正手段は、更に、
前記画像データの撮影時光源における色温度を推定する光源推定手段と、
前記光源推定手段により推定された色温度に基づいて前記画像データに対する色変換を行う色変換手段と
を有することを特徴とする請求項６に記載の画像処理装置。
【請求項８】
前記光源推定手段は、推定された前記色温度における前記画像データのハイライト色を、前記オブジェクトの色の値に対する信頼度、および前記ハイライト色の値に対する信頼度に基づいて修正する修正手段を有することを特徴とする請求項７に記載の画像処理装置。
【請求項９】
前記色変換手段は、前記信頼度が低いほど、色変換における色の変換率を抑制することを特徴とする請求項７に記載の画像処理装置。
【請求項１０】
前記光源推定手段は、更に、
前記検出手段により検出された前記ハイライト色に基づいて、色空間におけるグレー軸を設定する設定手段と、
前記グレー軸の近傍の画素と前記オブジェクトの色の近傍の画素とを用いて光源推定を行う推定手段と
を有することを特徴とする請求項７に記載の画像処理装置。
【請求項１１】
前記算出手段は、前記画像データから人の顔における肌の色を算出し、前記オブジェクトの色とする顔検出手段を更に有することを特徴とする請求項６に記載の画像処理装置。
【請求項１２】
前記信頼度算出手段は、前記顔検出手段により得られる顔検出の信頼度を用いて、前記オブジェクトの色の値に対する信頼度、および前記ハイライト色の値に対する信頼度を算出することを特徴とする請求項１１に記載の画像処理装置。
【請求項１３】
画像データからハイライト色を取得する第一の取得工程と、
前記画像データに含まれる所定のオブジェクトの色を取得する第二の取得工程と、
色空間における、前記ハイライト色と前記所定のオブジェクトの色の相対位置に基づき、前記ハイライト色を補正する補正工程と
を有することを特徴とする画像処理方法。
【請求項１４】
コンピュータに、請求項１乃至１２のいずれか一項に記載の各手段として機能させるためのプログラム。
【手続補正２】
【補正対象書類名】明細書
【補正対象項目名】０００８
【補正方法】変更
【補正の内容】
【０００８】
本発明の画像処理装置は、上記課題を解決するために、以下の構成を有する。すなわち、画像データからハイライト色を取得する第一の取得手段と、前記画像データに含まれる所定のオブジェクトの色を取得する第二の取得手段と、色空間における、前記ハイライト色と前記所定のオブジェクトの色の相対位置に基づき、前記ハイライト色を補正する補正手段とを有する。
【手続補正３】
【補正対象書類名】明細書
【補正対象項目名】０００９
【補正方法】変更
【補正の内容】
【０００９】
また、課題を解決するための別の構成として、本発明の画像処理装置は以下の構成を有する。すなわち、画像データに含まれるオブジェクトの色を算出する算出手段と、前記画像データのハイライト色を検出する検出手段と、色空間における前記オブジェクトの色と前記ハイライト色の相対位置関係、および前記オブジェクトの色および前記ハイライト色それぞれに対する基準値との差異に基づいて、前記算出手段により算出された前記オブジェクトの色の値に対する信頼度、および前記検出手段により検出された前記ハイライト色の値に対する信頼度をそれぞれ算出する信頼度算出手段と、前記オブジェクトの色の値に対する信頼度、および前記ハイライト色の値に対する信頼度を用いて、前記オブジェクトの色および前記ハイライト色に対する補正量を制御することで、前記オブジェクトの色および前記ハイライト色へのカラーバランス補正を行うカラーバランス補正手段とを有する。
【手続補正４】
【補正対象書類名】明細書
【補正対象項目名】００１０
【補正方法】変更
【補正の内容】
【００１０】
本願発明によれば、画像データからハイライト色を誤検知した場合であっても、検出したハイライト色を補正することで、画質劣化を抑制するカラーバランス補正を実現することができる。
【手続補正書】
【提出日】平成25年7月11日(2013.7.11)
【手続補正１】
【補正対象書類名】特許請求の範囲
【補正対象項目名】全文
【補正方法】変更
【補正の内容】
【特許請求の範囲】
【請求項１】
Ａｌ組成比が０．２以上のＡｌＧａＮ層をエッチングして、ＲＭＳ粗さが０．３ｎｍ未満の底面を有する凹部を形成する工程と、
前記凹部の底面に接して、４ｎｍから８ｎｍの厚さの第１Ｔａ層を形成する工程と、
前記第１Ｔａ層に熱処理を施して、前記ＡｌＧａＮ層にオーミック接触させる工程と、を有することを特徴とする半導体装置の製造方法。
【請求項２】
前記第１Ｔａ層を形成する工程は、５ｎｍから７ｎｍの厚さの前記第１Ｔａ層を形成することを特徴とする請求項１記載の半導体装置の製造方法。
【請求項３】
前記凹部を形成する工程は、塩化ホウ素ガスと塩素ガスとの混合ガス、塩化ホウ素ガスと塩化珪素ガスと塩素ガスとの混合ガス、塩化珪素ガスと塩素ガスとの混合ガスのうちのいずれかの混合ガスをエッチングガスに用いたプラズマエッチングにより実施することを特徴とする請求項１または２記載の半導体装置の製造方法。
【請求項４】
前記第１Ｔａ層上に、前記熱処理前にＡｌ層を形成する工程を有することを特徴とする請求項１から３のいずれか一項記載の半導体装置の製造方法。
【請求項５】
前記Ａｌ層上に、前記熱処理前に第２Ｔａ層またはＴｉ層を形成する工程を有することを特徴とする請求項４記載の半導体装置の製造方法。
【請求項６】
前記凹部を形成する工程は、ＩＣＰ法を用い０．２Ｐａから４Ｐａの圧力の下、２０Ｗから３００Ｗの高周波電力を印加して前記プラズマエッチングを実施することを特徴とする請求項３記載の半導体装置の製造方法。
【請求項７】
前記オーミック接触させる工程は、ソース電極およびドレイン電極をオーミック接触させる工程であることを特徴とする請求項１記載の半導体装置の製造方法。
【請求項８】
塩化ホウ素ガスと塩素ガスとの混合ガス、塩化ホウ素ガスと塩化珪素ガスと塩素ガスとの混合ガス、塩化珪素ガスと塩素ガスとの混合ガスのうちのいずれかの混合ガスをエッチングガスに用いたプラズマエッチングによりＡｌ組成比が０．２以上のＡｌＧａＮ層に底面を有する凹部を形成する工程と、
前記凹部の底面に接して、４ｎｍから８ｎｍの厚さの第１Ｔａ層を形成する工程と、
前記第１Ｔａ層に熱処理を施して、前記ＡｌＧａＮ層にオーミック接触させる工程と、を有することを特徴とする半導体装置の製造方法。
【請求項９】
前記第１Ｔａ層を形成する工程は、５ｎｍから７ｎｍの厚さの前記第１Ｔａ層を形成することを特徴とする請求項８記載の半導体装置の製造方法。
【請求項１０】
前記第１Ｔａ層上に、前記熱処理前にＡｌ層を形成する工程を有することを特徴とする請求項８または９記載の半導体装置の製造方法。
【請求項１１】
前記Ａｌ層上に、前記熱処理前に第２Ｔａ層またはＴｉ層を形成する工程を有することを特徴とする請求項１０記載の半導体装置の製造方法。
【請求項１２】
前記凹部を形成する工程は、ＩＣＰ法を用い０．２Ｐａから４Ｐａの圧力の下、２０Ｗから３００Ｗの高周波電力を印加して前記プラズマエッチングを実施することを特徴とする請求項８記載の半導体装置の製造方法。
【請求項１３】
前記オーミック接触させる工程は、ソース電極およびドレイン電極をオーミック接触させる工程であることを特徴とする請求項８記載の半導体装置の製造方法。
【手続補正２】
【補正対象書類名】明細書
【補正対象項目名】０００６
【補正方法】変更
【補正の内容】
【０００６】
本発明は、Ａｌ組成比が０．２以上のＡｌＧａＮ層をエッチングして、ＲＭＳ粗さが０．３ｎｍ未満の底面を有する凹部を形成する工程と、前記凹部の底面に接して、４ｎｍから８ｎｍの厚さの第１Ｔａ層を形成する工程と、前記第１Ｔａ層に熱処理を施して、前記ＡｌＧａＮ層にオーミック接触させる工程と、を有することを特徴とする半導体装置の製造方法である。また、本発明は、塩化ホウ素ガスと塩素ガスとの混合ガス、塩化ホウ素ガスと塩化珪素ガスと塩素ガスとの混合ガス、塩化珪素ガスと塩素ガスとの混合ガスのうちのいずれかの混合ガスをエッチングガスに用いたプラズマエッチングによりＡｌ組成比が０．２以上のＡｌＧａＮ層に底面を有する凹部を形成する工程と、前記凹部の底面に接して、４ｎｍから８ｎｍの厚さの第１Ｔａ層を形成する工程と、前記第１Ｔａ層に熱処理を施して、前記ＡｌＧａＮ層にオーミック接触させる工程と、を有することを特徴とする半導体装置の製造方法である。本発明によれば、コンタクト抵抗率を低く抑えることができる。
【手続補正書】
【提出日】平成25年7月9日(2013.7.9)
【手続補正１】
【補正対象書類名】特許請求の範囲
【補正対象項目名】全文
【補正方法】変更
【補正の内容】
【特許請求の範囲】
【請求項１】
複数の原稿をプレスキャンするプレスキャン工程と、
前記プレスキャン工程においてプレスキャンされた前記複数の原稿に対応する複数の画像に基づき、本スキャンのための読取対象となる複数の画像に対応する複数のクロップを画面上に表示する表示工程と、
前記複数のクロップに対応する複数の画像のそれぞれを順次本スキャンする本スキャン工程と、
前記本スキャン工程における前記複数の画像に対する前記本スキャンの進行状況に従って、前記表示工程において表示された複数のクロップの表示の状態を変化させるよう制御する制御工程とを有することを特徴とする画像読取方法。
【請求項２】
前記本スキャン工程の実行中に、
前記複数のクロップに対応する複数の画像の読取に対するユーザからの指示を受付ける受付工程と、
前記受付け工程において受付けた指示に従って、画像読取の動作の変更を行う変更工程とをさらに有することを特徴とする請求項１に記載の画像読取方法。
【請求項３】
前記表示工程は、前記複数のクロップに画像の読取の順序を示す番号を表示する順序表示工程を含むことを特徴とする請求項１又は２に記載の画像読取方法。
【請求項４】
前記ユーザからの指示は、
スキャン中の１枚の画像の読取をキャンセルし、それ以降の画像の読取を全てキャンセルする全キャンセルと、
スキャン中の１枚の画像の読取をキャンセルし、それ以降の画像の読取は継続する第１のスキップと、
スキャンが未処理の画像をスキャンの対象から外す第２のスキップと、
スキャンが未処理の画像のスキャン順序を変更する順序変更と、
スキャン中の１枚の画像とそれ以降の画像の読取をキャンセルし、次に読取する際に、前回スキャン中であった原稿及びそれ以降に読取がされる原稿を順次読取る処理との内の少なくとも１つを含むことを特徴とする請求項２に記載の画像読取方法。
【請求項５】
前記変更工程は、
前記全キャンセルの指示に応じて、スキャン中の１枚の画像の読取をキャンセルし、それ以降の画像の読取を全てキャンセルすることと、
前記第１のスキップの指示に応じて、スキャン中の１枚の画像の読取をキャンセルし、それ以降の画像の読取は継続することと、
前記第２のスキップの指示に応じて、スキャンが未処理の画像をスキャンの対象から外すことと、
前記順序変更の指示に応じて、スキャンが未処理の画像のスキャン順序を変更することと、
前記中断の指示に応じて、スキャン中の１枚の画像とそれ以降の画像の読取をキャンセルし、次に読取する際に、前回スキャン中であった原稿及びそれ以降に読取がされる原稿を順次読取ることと、の内の少なくとも１つの変更を行うことを特徴とする請求項４に記載の画像読取方法。
【請求項６】
請求項１乃至５のいずれか１項に記載の画像読取方法の各工程をコンピュータに実行させるプログラム。
【請求項７】
読取装置が複数の原稿をプレスキャンするよう制御するプレスキャン制御手段と、
前記プレスキャン制御手段の制御によりプレスキャンされた前記複数の原稿に対応する複数の画像に基づき、本スキャンのための読取対象となる複数の画像に対応する複数のクロップを表示装置が表示するよう制御する表示制御手段と、
前記読取装置が複数のクロップに対応する複数の画像のそれぞれを順次本スキャンするよう制御する本スキャン制御手段と、
前記本スキャン制御手段の制御による前記複数の画像に対する前記本スキャンの進行状況に従って、前記表示制御手段の制御により表示された複数のクロップの表示の状態を変化させるよう制御する制御手段とを有することを特徴とする読取制御装置。
【手続補正２】
【補正対象書類名】明細書
【補正対象項目名】発明の名称
【補正方法】変更
【補正の内容】
【発明の名称】画像読取方法、読取制御装置、及びプログラム
【手続補正３】
【補正対象書類名】明細書
【補正対象項目名】０００１
【補正方法】変更
【補正の内容】
【０００１】
本発明は、複数枚の原稿を走査して読取る際に走査の進行状況をユーザが具体的に把握可能な画像読取方法、読取制御装置、及びプログラムに関する。
【手続補正４】
【補正対象書類名】明細書
【補正対象項目名】０００７
【補正方法】変更
【補正の内容】
【０００７】
本発明は上記従来例に鑑みてなされたもので、複数の画像原稿の読取中にその読取進行状況が視覚的に把握容易な画像読取方法、読取制御装置、及びプログラムを提供することを目的とする。
【手続補正５】
【補正対象書類名】明細書
【補正対象項目名】０００９
【補正方法】変更
【補正の内容】
【０００９】
即ち、複数の原稿をプレスキャンするプレスキャン工程と、前記プレスキャン工程においてプレスキャンされた前記複数の原稿に対応する複数の画像に基づき、本スキャンのための読取対象となる複数の画像に対応する複数のクロップを画面上に表示する表示工程と、前記複数のクロップに対応する複数の画像のそれぞれを順次本スキャンする本スキャン工程と、前記本スキャン工程における前記複数の画像に対する前記本スキャンの進行状況に従って、前記表示工程において表示された複数のクロップの表示の状態を変化させるよう制御する制御工程とを有することを特徴とする。
【手続補正６】
【補正対象書類名】明細書
【補正対象項目名】００１０
【補正方法】変更
【補正の内容】
【００１０】
また本発明を別の側面から見れば、読取装置が複数の原稿をプレスキャンするよう制御するプレスキャン制御手段と、前記プレスキャン制御手段の制御によりプレスキャンされた前記複数の原稿に対応する複数の画像に基づき、本スキャンのための読取対象となる複数の画像に対応する複数のクロップを表示装置が表示するよう制御する表示制御手段と、前記読取装置が複数のクロップに対応する複数の画像のそれぞれを順次本スキャンするよう制御する本スキャン制御手段と、前記本スキャン制御手段の制御による前記複数の画像に対する前記本スキャンの進行状況に従って、前記表示制御手段の制御により表示された複数のクロップの表示の状態を変化させるよう制御する制御手段とを有することを特徴とする読取制御装置を備える。
さらに本発明をさらに別の側面から見れば、上記画像読取方法の各工程をコンピュータに実行させるためのプログラムを備える。
【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
複数の再生モードからいずれかのモードを選択する選択手段と、
画像記録媒体から表示すべき画像データ及びその設定アスペクト比情報を読み込む手段と、
表示すべき画像データのアスペクト比とその設定アスペクト比情報が示すアスペクト比とが異なる場合に、前記選択手段により選択されている再生モードに応じて、前記画像データの画像に、前記設定アスペクト比情報が示すアスペクト比の範囲を示す線を重畳して表示する画像信号を生成するか、前記表示すべき画像データの、前記設定アスペクト比情報が示すアスペクト比の範囲内の画像を表示する画像信号を生成するかを切り替え制御する制御手段
とを具備することを特徴とする表示制御装置。
【請求項２】
前記複数の再生モードには、画像を個別に再生する通常再生モードと、複数の画像を自動切換え式で再生するスライドショーモードとを含んでおり、
前記制御手段は、前記通常再生モードでは、表示すべき画像データのアスペクト比とその設定アスペクト比情報が示すアスペクト比が異なる場合に、前記画像データの画像に、前記設定アスペクト比情報が示すアスペクト比の範囲を示す線を重畳して表示する画像信号を生成し、前記スライドショーモードでは、表示すべき画像データのアスペクト比とその設定アスペクト比情報が示すアスペクト比が異なる場合に、前記表示すべき画像データの、前記設定アスペクト比情報が示すアスペクト比の範囲内の画像を表示する画像信号を生成するように制御する
ことを特徴とする請求項１に記載の表示制御装置。
【請求項３】
前記表示すべき画像データが、表示用ＪＰＥＧ画像データを含むＲＡＷ画像データである場合、前記表示すべき画像データのアスペクト比を、前記表示用ＪＰＥＧ画像から取得することを特徴とする請求項１または２に記載の表示制御装置。
【請求項４】
複数の再生モードからいずれかのモードを選択する選択ステップと、
画像記録媒体から表示すべき画像データ及びその設定アスペクト比情報を読み込むステップと、
表示すべき画像データのアスペクト比とその設定アスペクト比情報が示すアスペクト比とが異なる場合に、前記選択ステップで選択されている再生モードに応じて、前記画像データの画像に、前記設定アスペクト比情報が示すアスペクト比の範囲を示す線を重畳して表示する画像信号を生成するか、前記表示すべき画像データの、前記設定アスペクト比情報が示すアスペクト比の範囲内の画像を表示する画像信号を生成するかを切り替え制御する制御ステップ
とを具備することを特徴とする表示制御方法。
【請求項５】
複数の再生モードからいずれかのモードを選択する選択機能と、
画像記録媒体から表示すべき画像データ及びその設定アスペクト比情報を読み込む機能と、
表示すべき画像データのアスペクト比とその設定アスペクト比情報が示すアスペクト比とが異なる場合に、前記選択機能により選択されている再生モードに応じて、前記画像データの画像に、前記設定アスペクト比情報が示すアスペクト比の範囲を示す線を重畳して表示する画像信号を生成するか、前記表示すべき画像データの、前記設定アスペクト比情報が示すアスペクト比の範囲内の画像を表示する画像信号を生成するかを切り替え制御する制御機能
とをコンピュータに実現させるための表示制御プログラム。
【請求項６】
請求項５に記載の表示制御プログラムを記録したことを特徴とする記録媒体。
【手続補正２】
【補正対象書類名】明細書
【補正対象項目名】０００８
【補正方法】変更
【補正の内容】
【０００８】
本発明に係る表示制御装置は、複数の再生モードからいずれかのモードを選択する選択手段と、画像記録媒体から表示すべき画像データ及びその設定アスペクト比情報を読み込む手段と、表示すべき画像データのアスペクト比とその設定アスペクト比情報が示すアスペクト比とが異なる場合に、前記選択手段により選択されている再生モードに応じて、前記画像データの画像に、前記設定アスペクト比情報が示すアスペクト比の範囲を示す線を重畳して表示する画像信号を生成するか、前記表示すべき画像データの、前記設定アスペクト比情報が示すアスペクト比の範囲内の画像を表示する画像信号を生成するかを切り替え制御する制御手段とを具備することを特徴とする。
本発明に係る表示制御方法は、複数の再生モードからいずれかのモードを選択する選択ステップと、画像記録媒体から表示すべき画像データ及びその設定アスペクト比情報を読み込むステップと、表示すべき画像データのアスペクト比とその設定アスペクト比情報が示すアスペクト比とが異なる場合に、前記選択ステップで選択されている再生モードに応じて、前記画像データの画像に、前記設定アスペクト比情報が示すアスペクト比の範囲を示す線を重畳して表示する画像信号を生成するか、前記表示すべき画像データの、前記設定アスペクト比情報が示すアスペクト比の範囲内の画像を表示する画像信号を生成するかを切り替え制御する制御ステップとを具備することを特徴とする。
本発明に係る表示制御プログラムは、複数の再生モードからいずれかのモードを選択する選択機能と、画像記録媒体から表示すべき画像データ及びその設定アスペクト比情報を読み込む機能と、表示すべき画像データのアスペクト比とその設定アスペクト比情報が示すアスペクト比とが異なる場合に、前記選択機能により選択されている再生モードに応じて、前記画像データの画像に、前記設定アスペクト比情報が示すアスペクト比の範囲を示す線を重畳して表示する画像信号を生成するか、前記表示すべき画像データの、前記設定アスペクト比情報が示すアスペクト比の範囲内の画像を表示する画像信号を生成するかを切り替え制御する制御機能とをコンピュータに実現させるためのプログラムである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
シャッタ速度優先モードと絞り優先モードとを含む複数の撮影モードの何れかに設定可能な撮像装置であって、
複数の操作部材のうちどの操作部材が優先操作部材に割り当てられているかを、前記複数の撮影モードについて同時に識別できる機能登録画面を表示する表示部と、
前記機能登録画面に対するユーザの指示に従い、前記優先操作部材にどの機能を割り当てるかを設定する設定手段と、
前記設定手段によって前記優先操作部材に設定された操作部材の操作に従い、前記シャッタ速度優先モードではシャッタスピードを調整し、前記絞り優先モードでは絞り値を調整するように制御する制御手段
とを有することを特徴とする撮像装置。
【請求項２】
前記設定手段はさらに、前記優先操作部材に割り当て可能な操作部材のうち、前記優先操作部材に割り当てられていない操作部材の前記複数の撮影モードのそれぞれにおける機能を、ユーザからの指示に基づいて個別に設定することを特徴とする請求項１に記載の撮像装置。
【請求項３】
前記設定手段は、前記シャッタスピードと前記絞り値の組み合わせの複数のプリセットパターンを有し、優先される機能を同一の操作部材に割り当てることを特徴とする請求項１または２に記載の撮像装置。
【請求項４】
前記設定手段は、前記シャッタスピードと前記絞り値の組み合わせの複数のプリセットパターンを有し、前記シャッタ速度優先モードと前記絞り優先モードとで同一の操作部材に同じ機能を割り当てることを特徴とする請求項１乃至３の何れか１項に記載の撮像装置。
【請求項５】
前記シャッタスピードと絞り数値が設定されていない操作部材には、ユーザからの指示に基づいて特定の機能を選択して登録する手段を有することを特徴とする請求項１乃至４の何れか１項に記載の撮像装置。
【請求項６】
前記優先操作部材に割り当てることのできる複数の操作部材はいずれも回転操作部材であることを特徴とする請求項１乃至５の何れか１項に記載の撮像装置。
【請求項７】
前記優先操作部材に割り当てることのできる複数の操作部材は、当該撮像装置の撮像面側である撮像装置前面に配置された回転操作部材を含むことを特徴とする請求項１乃至６の何れか１項に記載の撮像装置。
【請求項８】
シャッタ操作部を更に有し、
前記回転操作部材は、前記撮像装置を把持した状態で、該把持した手の指のうち、前記シャッタ操作部を操作可能な指で操作可能な位置に配置されている
ことを特徴とする請求項７に記載の撮像装置。
【請求項９】
前記優先操作部材に割り当てることのできる複数の操作部材は、当該撮像装置の撮像面と反対側に配置された回転操作部材を含むことを特徴とする請求項１乃至８の何れか１項に記載の撮像装置。
【請求項１０】
シャッタ速度優先モードと絞り優先モードとを含む複数の撮影モードのうちいずれかに設定可能な撮像装置を制御する方法であって、
複数の操作部材のうちどの操作部材が優先操作部材に割り当てられているかを、前記複数の撮影モードについて同時に識別できる機能登録画面を表示部に表示するステップと、
前記機能登録画面に対するユーザの指示に従い、前記優先操作部材にどの機能を割り当てるかを設定する設定ステップと、
前記設定ステップによって前記優先操作部材に設定された操作部材の操作に従い、前記シャッタ速度優先モードではシャッタスピードを調整し、前記絞り優先モードでは絞り値を調整するように制御する制御ステップ
とを有することを特徴とする撮像装置の制御方法。
【請求項１１】
コンピュータを、請求項１乃至９のいずれか１項に記載された撮像装置の各手段として機能させるためのプログラム。
【請求項１２】
コンピュータを、請求項１乃至９のいずれか１項に記載された撮像装置の各手段として機能させるためのプログラムを格納したコンピュータが読み取り可能な記録媒体。
【手続補正２】
【補正対象書類名】明細書
【補正対象項目名】０００９
【補正方法】変更
【補正の内容】
【０００９】
本発明に係る撮像装置は、シャッタ速度優先モードと絞り優先モードとを含む複数の撮影モードの何れかに設定可能な撮像装置であって、複数の操作部材のうちどの操作部材が優先操作部材に割り当てられているかを、前記複数の撮影モードについて同時に識別できる機能登録画面を表示する表示部と、前記機能登録画面に対するユーザの指示に従い、前記優先操作部材にどの機能を割り当てるかを設定する設定手段と、前記設定手段によって前記優先操作部材に設定された操作部材の操作に従い、前記シャッタ速度優先モードではシャッタスピードを調整し、前記絞り優先モードでは絞り値を調整するように制御する制御手段とを有することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正書】
【提出日】平成25年9月27日(2013.9.27)
【手続補正１】
【補正対象書類名】特許請求の範囲
【補正対象項目名】全文
【補正方法】変更
【補正の内容】
【特許請求の範囲】
【請求項１】
記録ディスクが載置されるハブと、
軸受を介して前記ハブを回転自在に支持するベースと、
前記ベースに固定され、円環部とそこから径方向に伸びる突極とを含むステータコアと、
前記突極と径方向に対向し、前記ハブとともに回転するマグネットと、を備え、
前記マグネットは、前記突極と対向するように周方向に複数の磁極を有し、
前記突極は、ワイヤが巻かれる棒状体と、前記棒状体の径方向外側に設けられ、周方向に延在する歯部とを有し、
前記歯部の周方向の端に位置する周端は、前記歯部の径方向最外端に位置する突端を通る外接円より径方向内側に位置し、
前記ステータコアの前記歯部のぞれぞれにおける前記ハブ側の各端部の間での軸方向高さの差が０．０１ｍｍから０．０７ｍｍ以下になるように組み付けられていることを特徴とする回転機器。
【請求項２】
前記歯部の外周面は、円弧形状に形成され、
前記円弧形状は、前記突端を通る外接円より曲率半径が小さいことを特徴とする請求項１に記載の回転機器。
【請求項３】
前記歯部の外周面の前記円弧形状の曲率半径は、前記突端を通る外接円の曲率半径の略半分であることを特徴とする請求項２に記載の回転機器。
【請求項４】
前記マグネットの前記磁極の周方向寸法は、互いに周方向に隣接する二つの前記歯部の隙間の周方向寸法の略３倍であることを特徴とする請求項１から３のいずれかに記載の回転機器。
【請求項５】
前記周端は、前記記録ディスクの内周が嵌合される前記ハブのディスク嵌合部の外径の径方向内側に位置することを特徴とする請求項１から４のいずれかに記載の回転機器。
【請求項６】
前記突端を通る外接円の直径をＤ１、前記周端の内周側を通る内接円の直径をＤ２、前記マグネットの外周の直径をＤ３、内周の直径をＤ４とした場合に下記の式（１）の関係を有することを特徴とする請求項１から５のいずれかに記載の回転機器。
（Ｄ３−Ｄ４）／３＜Ｄ１−Ｄ２＜Ｄ３−Ｄ４・・・（１）
【請求項７】
ハブと、
軸受を介して前記ハブを回転自在に支持するベースと、
前記ベースに固定され、円環部とそこから径方向に伸びる突極とを含むステータコアと、
前記突極と径方向に対向し、前記ハブとともに回転するマグネットと、を備え、
前記マグネットは、前記突極と対向するように周方向に複数の磁極を有し、
前記突極は、ワイヤが巻かれる棒状体と、前記棒状体の径方向外側に設けられ、周方向に延在する歯部とを有し、
前記歯部の周方向の端に位置する周端は、前記歯部の径方向最外端に位置する突端を通る外接円より径方向内側に位置する回転機器を製造する方法であって、
第１金型内で複数の薄型電磁鋼板を積層して一体化することによって前記ステータコアを形成する工程と、
形成された前記ステータコアの前記歯部のぞれぞれにおける前記ハブ側の各端部の間での軸方向高さの差が０．０７ｍｍ以下になるように、前記高さの差を検査する工程と、
を含んでいることを特徴とする回転機器の製造方法。
【請求項８】
前記ステータコアを形成する工程の後に、前記ステータコアの前記歯部が平面を有する第２金型によって前記平面に挟まれて押圧されて形成される工程をさらに含むことを特徴とする請求項７に記載の回転機器の製造方法。
【請求項９】
前記歯部は、前記第２金型に押圧された後、表面に絶縁塗装を施されることを特徴とする請求項８に記載の回転機器の製造方法。
【手続補正２】
【補正対象書類名】明細書
【補正対象項目名】発明の名称
【補正方法】変更
【補正の内容】
【発明の名称】回転機器および回転機器の製造方法
【手続補正３】
【補正対象書類名】明細書
【補正対象項目名】０００１
【補正方法】変更
【補正の内容】
【０００１】
本発明は、突極を有するステータコアを備える回転機器およびそのような回転機器の製造方法に関する。
【手続補正書】
【提出日】平成25年6月18日(2013.6.18)
【手続補正１】
【補正対象書類名】明細書
【補正対象項目名】０００８
【補正方法】変更
【補正の内容】
【０００８】
本発明の一側面は、直列接続された複数の色素増感型太陽電池からなるユニットの正負両端子間電圧を測定する電圧測定手段と、前記電圧測定手段により測定された電圧の、前記ユニットの全ての色素増感型太陽電池が発電を行う初期状態における前記正負両端子間電圧からの降下量に基づいて、発電が行われていない色素増感型太陽電池の数を判定する判定手段とを備える情報処理装置である。
【手続補正２】
【補正対象書類名】明細書
【補正対象項目名】００１５
【補正方法】変更
【補正の内容】
【００１５】
本発明の一側面はまた、直列接続された複数の色素増感型太陽電池からなるユニットを有する情報処理装置の情報処理方法であって、前記情報処理装置の電圧測定手段が、前記ユニットの正負両端子間電圧を測定し、前記情報処理装置の判定手段が、測定された電圧の、前記ユニットの全ての色素増感型太陽電池が発電を行う初期状態における前記正負両端子間電圧からの降下量に基づいて、発電が行われていない色素増感型太陽電池の数を判定する情報処理方法である。
【手続補正３】
【補正対象書類名】明細書
【補正対象項目名】００１６
【補正方法】変更
【補正の内容】
【００１６】
本発明の一側面においては、ユニットの正負両端子間電圧が測定され、測定された電圧の、ユニットの全ての色素増感型太陽電池が発電を行う初期状態における正負両端子間電圧からの降下量に基づいて、発電が行われていない色素増感型太陽電池の数が判定される。
【手続補正４】
【補正対象書類名】明細書
【補正対象項目名】００２９
【補正方法】変更
【補正の内容】
【００２９】
そこで、特許文献１に記載の方法では、図２Ｃに示されるように、SI系太陽電池２の全てのセルに対して個別に配線し、制御部４１において、各セルの出力電圧を個別に監視するようにしている。
【手続補正５】
【補正対象書類名】明細書
【補正対象項目名】００５３
【補正方法】変更
【補正の内容】
【００５３】
蓄電部２３２は、例えば、小型のリチウムイオン電池やコンデンサ等を有し、DSSC２０３において発電された電力を蓄電する。防犯部２０１の各部は、この蓄電部２３２に蓄電されている電力を使用して動作する。もちろん、外部電源から電力の供給を受けて動作するようにしてもよいが、このように蓄電部２３２を設けることにより、防犯部２０１は、外部電源を必要とせずに動作することができる。
【手続補正６】
【補正対象書類名】明細書
【補正対象項目名】００９７
【補正方法】変更
【補正の内容】
【００９７】
送信部３３４は、出力情報選択部３３３から供給される出力情報を、無線信号として、アンテナ３０３を介して出力する。
【手続補正７】
【補正対象書類名】明細書
【補正対象項目名】０１０９
【補正方法】変更
【補正の内容】
【０１０９】
以上のように、ボタン領域３０２にセンサとして色素増感型太陽電池を用いることにより、カード型リモートコントローラ３００は、外部からの電力供給を必要とせずに動作することができる。また、カード型リモートコントローラ３００は、制御部３０１とDSSC３１１との配線を簡易化することができるだけでなく、制御部３０１の信号出力処理も簡易化することができる。したがって、カード型リモートコントローラ３００は、製造や開発のコストを低減させることができるだけでなく、消費電力も低減させることができる。また、構成の簡易化により信頼性も向上させることができる。
【手続補正８】
【補正対象書類名】明細書
【補正対象項目名】０１２６
【補正方法】変更
【補正の内容】
【０１２６】
これに対して、DSSC４２２の場合、上述したように、一部のセル４２３全体が影により覆われ、そのセル４２３が発電しなくなっても、その分の発電量が低減するだけで、それ以外のセル４２３は、発電を行うことができる。したがって、制御部４２１は、物体の大きさ、形状、および位置等をより詳細に検出することができる。
【手続補正９】
【補正対象書類名】特許請求の範囲
【補正対象項目名】全文
【補正方法】変更
【補正の内容】
【特許請求の範囲】
【請求項１】
直列接続された複数の色素増感型太陽電池からなるユニットの正負両端子間電圧を測定する電圧測定手段と、
前記電圧測定手段により測定された電圧の、前記ユニットの全ての色素増感型太陽電池が発電を行う初期状態における前記正負両端子間電圧からの降下量に基づいて、発電が行われていない色素増感型太陽電池の数を判定する判定手段と
を備える情報処理装置。
【請求項２】
前記判定手段により判定された、発電が行われていない色素増感型太陽電池の数に応じた処理を行う処理実行手段をさらに備える
請求項１に記載の情報処理装置。
【請求項３】
前記判定手段は、発電が行われていない色素増感型太陽電池の数を判定することにより、前記ユニット近傍に位置する物体の大きさを推定し、推定した大きさから、前記物体が処理対象であるか否かを判定し、
前記処理実行手段は、前記判定手段により前記物体が処理対象であると判定された場合、前記物体の存在を通知する警報処理を行う
請求項２に記載の情報処理装置。
【請求項４】
前記ユニットの色素増感型太陽電池は、所定の複数の領域に、互いに数が異なるように分けて配置されており、
前記判定手段は、発電が行われていない色素増感型太陽電池の数を判定することにより、前記複数の領域の中から、ユーザに操作された領域を特定し、
前記処理実行手段は、特定された領域に対応する制御信号を選択し、選択した前記制御信号を、他の装置に送信する処理を行う
請求項２に記載の情報処理装置。
【請求項５】
前記ユニットの複数の色素増感型太陽電池は、アレイ状に配置される
請求項１に記載の情報処理装置。
【請求項６】
前記ユニットの各色素増感型太陽電池の発電により得られた電力を蓄電する蓄電手段をさらに備える
請求項１に記載の情報処理装置。
【請求項７】
前記判定手段は、前記正負両端子間電圧の前記降下量に基づいて、前記色素増感型太陽電池の、発電が行われていない一部の領域の大きさをさらに判定する
請求項１に記載の情報処理装置。
【請求項８】
直列接続された複数の色素増感型太陽電池からなるユニットを有する情報処理装置の情報処理方法であって、
前記情報処理装置の電圧測定手段が、前記ユニットの正負両端子間電圧を測定し、
前記情報処理装置の判定手段が、測定された電圧の、前記ユニットの全ての色素増感型太陽電池が発電を行う初期状態における前記正負両端子間電圧からの降下量に基づいて、発電が行われていない色素増感型太陽電池の数を判定する
情報処理方法。
【手続補正書】
【提出日】平成25年6月26日(2013.6.26)
【手続補正１】
【補正対象書類名】明細書
【補正対象項目名】００１６
【補正方法】変更
【補正の内容】
【００１６】
真空処理容器内に配置された処理室に処理ガスを供給するガス供給装置と、前記処理室内に配置されその上に試料を載置して保持する載置電極と、前記載置電極に高周波バイアス電圧を供給する高周波バイアス電源と、前記処理室内を排気する排気装置と、前記真空処理容器の外周を囲んで配置されたコイルであって、前記処理室内に一方向の磁界を形成する第１のコイル及び前記一方向の磁界と同方向および逆方向の磁界の何れかを前記処理室内に形成可能な第２のコイルとを備えたコイルと、前記真空処理容器に高周波エネルギーを供給して、前記コイルにより処理室内に形成された磁界との相互作用により当該処理室内にプラズマを生成するプラズマ生成装置とを備え、前記載置電極上方の前記処理室内部の前記磁界の磁束密度が２０ｍＴ以下である領域であってこの処理室に生成される前記プラズマに面する箇所に配置されたアース部材を備えた。
【手続補正２】
【補正対象書類名】特許請求の範囲
【補正対象項目名】全文
【補正方法】変更
【補正の内容】
【特許請求の範囲】
【請求項１】
真空処理容器内に配置された処理室に処理ガスを供給するガス供給装置と、
前記処理室内に配置されその上に試料を載置して保持する載置電極と、前記載置電極に高周波バイアス電圧を供給する高周波バイアス電源と、前記処理室内を排気する排気装置と、
前記真空処理容器の外周を囲んで配置されたコイルであって、前記処理室内に一方向の磁界を形成する第１のコイル及び前記一方向の磁界と同方向および逆方向の磁界の何れかを前記処理室内に形成可能な第２のコイルとを備えたコイルと、
前記真空処理容器に高周波エネルギーを供給して、前記コイルにより処理室内に形成された磁界との相互作用により当該処理室内にプラズマを生成するプラズマ生成装置とを備え、
前記載置電極上方の前記処理室内部の前記磁界の磁束密度が２０ｍＴ以下である領域であってこの処理室に生成される前記プラズマに面する箇所に配置されたアース部材を備えたことを特徴とするプラズマ処理装置。
【請求項２】
請求項１記載のプラズマ処理装置であって、
前記高周波バイアス電源は２ＭＨｚ以上の高周波であることを特徴とするプラズマ処理装置。
【請求項３】
請求項１または２記載のプラズマ処理装置において、
前記第１および第２のコイルは前記真空処理容器の外周部および上面の外周部を覆う共通の孔明き円筒状のヨークを備え、前記ヨークの外周の径に対する前記孔径は０．２５ないし０．３であることを特徴とするプラズマ処理装置。
【請求項４】
請求項１乃至３の何れかに記載のプラズマ処理装置において、
前記高周波バイアス電源はパルス波を出力する電源であることを特徴とするプラズマ処理装置。
【請求項５】
請求項１乃至４の何れかに記載のプラズマ処理装置において、
前記第二のコイルが形成する磁界を前記一方向の磁界と同方向および逆方向に切り替えて形成可能なことを特徴とするプラズマ処理装置。
【手続補正書】
【提出日】平成25年7月16日(2013.7.16)
【手続補正１】
【補正対象書類名】特許請求の範囲
【補正対象項目名】全文
【補正方法】変更
【補正の内容】
【特許請求の範囲】
【請求項１】
下記一般式（１）で示されることを特徴とする有機発光素子用材料。
【化１】
2012023185.tif 000001
（一般式（１）において、Ａｒ１乃至Ａｒ２はそれぞれ置換基であり、前記置換基はフェニル基、ビフェニル基、ターフェニル基、ナフチル基、フェナンスレニル基、フルオレニル基、トリフェニレニル基、クリセニル基からそれぞれ独立に選ばれる。前記置換基はアルキル基、炭化水素芳香環基、複素芳香環基を有しても良い。）
【請求項２】
陽極と陰極とからなる一対の電極と、前記一対の電極の間に配置される有機化合物層とを有する有機発光素子において、前記有機化合物層は請求項１に記載の有機発光素子材料を有することを特徴とする有機発光素子。
【請求項３】
前記有機化合物層は発光層であることを特徴とする請求項２に記載の有機発光素子。
【請求項４】
前記有機化合物層は発光層と前記陰極側で接する別の有機化合物層であることを特徴とする請求項２に記載の有機発光素子。
【請求項５】
前記有機化合物層は発光層であり、前記陰極側で前記発光層と接する別の有機化合物層も前記有機発光素子材料を有していることを特徴とする請求項２に記載の有機発光素子。
【請求項６】
前記発光層はホスト材料とゲスト材料を有し、前記ホスト材料が複数種の材料から構成され、前記複数種の材料の一つが前記有機発光素子材料であることを特徴とする請求項３乃至５のいずれか一項に記載の有機発光素子。
【請求項７】
前記ゲスト材料が燐光発光材料であることを特徴とする請求項６に記載の有機発光素子。
【請求項８】
前記燐光発光材料がイリジウム錯体であることを特徴とする請求項７に記載の有機発光素子。
【請求項９】
請求項２乃至８のいずれか一項に記載の前記有機発光素子と、前記有機発光素子と接続するスイッチング素子とを有する画像表示装置。
【請求項１０】
請求項２乃至８のいずれか一項に記載の有機発光素子を有することを特徴とする照明装置。
【請求項１１】
請求項２乃至８のいずれか一項に記載の有機発光素子と、撮像するための撮像光学系とを有することを特徴とする撮像装置。
【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
電子回路が形成された半導体ウエハを、上記電子回路の形成面を上方に向けて保持するウエハチャックと、
プローブが形成されたプローブカードを、上記プローブの形成面を下方に向けて保持するプローブカード保持手段と、
上記半導体ウエハを検査するための検査位置よりも上記プローブカードから遠い退避位置へ上記ウエハチャックを移動させるチャック移動手段と、
上記プローブカードを加熱するための放射光を生成する光源ユニットとを備え、
上記光源ユニットは、上記ウエハチャックが上記退避位置にある場合に、上記プローブカードの下面と対向する状態で、上記放射光を生成することを特徴とするプローブ装置。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】